(57)【要約】【課題】  床下を換気でき、土台金物が変形し難く床パネル及び外壁パネルの支持強度を高くできる。【解決手段】  上端部に外壁パネル１の下端を支持する外壁パネル支持部１４ａを設けた縦片１４と、縦片１４の長手方向全長に亘る下端から屋内側に突出した固定横片１３とを具備する長尺な土台金物１２を形成する。基礎２に換気用金物３を載設する。換気用金物３に土台金物１２の固定横片１３を該固定横片１３の屋内側の部分が基礎２よりも屋内側に突出するように載設する。土台金物１２の外壁パネル支持部１４ａに外壁パネル１の下端を支持する。土台金物１２の固定横片１３に床パネル２４の屋外側の端部を載置する。土台金物１２の固定横片１３と基礎２との間に床パネル２４の下方の床下空間７と屋外空間８とを連通させる換気用通気路９を形成する。【選択図】        図１
2005248575.tif 000002
【特許請求の範囲】
【請求項１】
上端部に外壁パネルの下端を支持する外壁パネル支持部を設けた縦片と、縦片の長手方向全長に亘る下端から屋内側に突出した固定横片とを具備する長尺な土台金物を形成し、基礎に換気用金物を載設し、換気用金物に土台金物の固定横片を該固定横片の屋内側の部分が基礎よりも屋内側に突出するように載設し、土台金物の外壁パネル支持部に外壁パネルの下端を支持し、土台金物の固定横片に床パネルの屋外側の端部を載置し、換気用金物に載設されて基礎よりも上方に配された土台金物の固定横片と基礎との間に、基礎よりも上方に配された床パネルの下方の床下空間と屋外空間とを連通させる換気用通気路を形成して成ることを特徴とする基礎への外壁パネル及び床パネルの取付け構造。
【発明の詳細な説明】
【技術分野】
【０００１】
本発明は基礎への外壁パネル及び床パネルの取付け構造に関する。
【背景技術】
【０００２】
基礎への外壁パネル及び床パネルの取付け構造としては例えば特許文献１に示すものが知られている。このものは基礎に直接載設される固定横片と、固定横片の屋外側の端から上方に突出した縦片と、固定横片の屋内側の端から長手方向に間隔を介して垂下した複数の垂下片と、各垂下片の下端から屋内側に突出した載置横片とからなる土台金物を有し、該土台金物の固定横片を垂下片が基礎の屋内側の面に沿うように基礎に載設し、土台金物の縦片の上端部で外壁パネルの下端を支持し、外壁パネルの上端部を梁に固設し、載置横片に床パネルの端部を載置することで、基礎に外壁パネルと床パネルを取り付けるものである。
【０００３】
しかし上記特許文献１にあっては土台金物の縦片により屋外空間と床パネル下方の床下空間とが遮断されるため床下の換気が行えないという問題がある。また床パネルが載置される載置横片は土台金物の長手方向に間隔を介して複数設けたものであるので床パネルの重みにより変形し易く床パネルの支持強度が低いという問題がある。
【０００４】
また上記土台金物の縦片に換気用の孔を穿けて屋外空間と床下空間とを連通させ、これにより床下の換気を行うことも考えられるが、この場合外壁パネルを支持する縦片に孔を穿けることで縦片が外壁パネルの重みにより変形し易く外壁パネルの支持強度が低くなってしまうという問題が生じる。
【特許文献１】実開平６−１４３３９号公報
【発明の開示】
【発明が解決しようとする課題】
【０００５】
本発明は上記従来の問題点に鑑みて発明したものであって、床下を換気でき、しかも土台金物が変形し難く支持強度の高い基礎への外壁パネル及び床パネルの取付け構造を提供することを課題とする。
【課題を解決するための手段】
【０００６】
上記課題を解決するために本発明に係る基礎への外壁パネル及び床パネルの取付け構造は、上端部に外壁パネル１の下端を支持する外壁パネル支持部１４ａを設けた縦片１４と、縦片１４の長手方向全長に亘る下端から屋内側に突出した固定横片１３とを具備する長尺な土台金物１２を形成し、基礎２に換気用金物３を載設し、換気用金物３に土台金物１２の固定横片１３を該固定横片１３の屋内側の部分が基礎２よりも屋内側に突出するように載設し、土台金物１２の外壁パネル支持部１４ａに外壁パネル１の下端を支持し、土台金物１２の固定横片１３に床パネル２４の屋外側の端部を載置し、換気用金物３に載設されて基礎２よりも上方に配された土台金物１２の固定横片１３と基礎２との間に、基礎２よりも上方に配された床パネル２４の下方の床下空間７と屋外空間８とを連通させる換気用通気路９を形成して成ることを特徴とする。
【０００７】
このように換気用金物３にて形成された換気用通気路９で屋外空間８と床下空間７とを連通させることで床下の換気ができ、しかもこの床下の換気にあたって、外壁パネル１を支持する土台金物１２の縦片１４に換気用の孔を穿けたり、縦片１４から長手方向に間隔を介して固定横片１３を設けて固定横片１３間に換気用の孔を設けたりする必要がなく、即ち、床パネル２４を支持する固定横片１３を換気用の孔のないものとし、固定横片１３を縦片１４の長手方向全長に亘って設けることができ、これにより土台金物１２の縦片１４及び固定横片１３が変形し難くて外壁パネル１及び床パネル２４の高い支持強度を維持できる。
【発明の効果】
【０００８】
本発明では、床下を換気でき、しかも土台金物が変形し難く床パネル及び外壁パネルの支持強度を高くできる。
【発明を実施するための最良の形態】
【０００９】
以下、本発明を添付図面に示す実施形態に基いて説明する。図１に本実施形態の基礎への外壁パネル及び床パネルの取付け構造を示す。なお本実施形態の外壁パネル１の屋外側の面は図に示すように基礎２の屋外側の面よりも屋内側にあり、また外壁パネル１の屋内側の面は基礎２の屋内側の面よりも屋外側にあるものとする。
【００１０】
住宅の外周部の下方に位置する布基礎（以下単に基礎２と称す）の上面には基礎２の長手方向に適宜間隔を介して複数の換気用金物３を載設している。各換気用金物３は、基礎２に直接載設した下水平片４と、下水平片４の上方に間隔を介して配した上水平片５と、下水平片４及び上水平片５とを一体に連結する単数又は複数の連結縦片６とからなり、この基礎２の長手方向に複数並設した換気用金物３の隣合う連結縦片６間に床下空間７と屋外空間８とを連通させる換気用通気路９を形成している。各換気用金物３の屋内側の端は図１に示すように基礎２の屋内側の面よりも屋外側に控えた位置で且つ外壁パネル１よりも屋内側に位置しており、また換気用金物３の屋外側の端は外壁パネル１の屋外側の面よりも屋内側に控えた位置にある。各換気用金物３の下水平片４及び上水平片５の夫々にはボルト孔１１を穿設してあり、両ボルト孔１１、１１には基礎２から上方に突出したアンカーボルト１０を挿通している。なお換気用金物３の屋外側から見た断面形状としては、例えば下水平片４及び上水平片５の幅方向の中間部同士を連結縦片６で連結してなるＩ字状や、下水平片４及び上水平片５の幅方向の両端同士を連結縦片６、６で連結してなるロ字状や、下水平片４及び上水平片５の幅方向の一端同士を連結縦片６で連結してなるコ字状等が挙げられるが、この他の断面形状を有するものであっても良いものとする。
【００１１】
上記複数の換気用金物３の上横片５上には長手方向の長さが外壁パネル１の幅寸法と同じ長尺な土台金物１２を基礎２と平行に載設してあり、該土台金物１２は金属板を折曲してなる断面Ｌ字状の部材である。詳述すると、土台金物１２は、長手方向の長さが外壁パネル１の幅寸法と同じで上端部に外壁パネル支持部１４ａを設けた垂直な縦片１４と、縦片１４の長手方向全長に亘る下端から屋内側に突出した水平な固定横片１３とからなる。固定横片１３は前記複数の換気用金物３の上横片５を跨るように上横片５に直接載設されており、これにより固定横片１３は基礎２よりも上方に配されることとなる。固定横片１３の屋内側の部分は換気用金物３、基礎２、外壁パネル１、よりも屋内側に突出しており、また固定横片１３の屋外側の端は換気用金物３の屋外側の端よりも屋内側に控えた位置にある。そして土台金物１２の固定横片１３の屋内側の部分、即ち前記各ボルト孔１１に対応する部分には夫々ボルト挿通孔１５を穿設してあり、各ボルト挿通孔１５に前記換気用金物３に貫通させた各アンカーボルト１０を挿通し、各アンカーボルト１０の固定横片１３よりも上方に突出した部分にナット１６を螺合することで、固定横片１３及び換気用金物３は基礎２に固定されている。即ちこのアンカーボルト１０及びナット１６により、各換気用金物３は一つの固定横片１３と基礎２との間に挟持されて基礎２に固定されており、土台金物１２の固定横片１３はこれら複数の換気用金物３の上横片５に固定されている。ここで本実施形態では外壁パネル支持部１４ａを縦片１４の上端部で構成してあるものとする。
【００１２】
上記土台金物１２の縦片１４の上端部に下端が支持された外壁パネル１は、屋外側から見た形状が矩形枠状の木製のパネル枠１７と、パネル枠１７の屋外側の面に貼着されて屋外側からパネル枠１７の開口を覆う外装材１８と、パネル枠１７の屋内側の面に貼着されて屋内側からパネル枠１７の開口を覆う内装材１９と、外装材１８及び内装材１９間に配した断熱材２０とからなる。外壁パネル１のパネル枠１７の下枠１７ａの下面には長手方向全長に亘って伸びる凹溝２１を形成してあり、該凹溝２１内に基礎２と平行な土台金物１２の縦片１４の外壁パネル支持部１４ａを嵌入させることで外壁パネル１の下端は土台金物１２の縦片１４の外壁パネル支持部１４ａに固定されている。なお外壁パネル１の上端部は図示しない梁に固設されているものとする。
【００１３】
上記複数の換気用金物３に載設した土台金物１２の固定横片１３には矩形枠状の枠材２２の上面に床材２３を貼着してなる床パネル２４の屋外側の端部を載置してあり、これにより床パネル２４は固定横片１３によって基礎２よりも上方に配されて、床パネル２４の下方の床下空間７は前記換気用金物３により形成された換気用通気路９の屋内側に連通することとなる。ここで床パネル２４の屋外側の端面、即ち枠材２２よりもやや屋外側に突出した床材２３の屋外側の端面は図１に示すように外壁パネル１の内装材１９の屋内側の面に当接しているものとする。
【００１４】
また本実施形態では基礎２と基礎２の上方に位置する外壁パネル１との間の屋外側の隙間２５を覆い隠して外観を向上させ隙間２５から屋内側へ雨水が侵入することを防止するために、隙間２５には長尺な基礎見切り２６を基礎２と平行に配設している。基礎見切り２６は合成樹脂製又は金属製で一体に形成されたものであってその長手方向の長さは土台金物１２の長手方向の長さと同じである。この基礎見切り２６は、上端部の屋内側に設けた固定縦片２７と、固定縦片２７の上下方向中間部から屋外側に突出した上横片２８と、上横片２８の屋外側の端から屋外側の斜め下方に突出した上傾斜片２９と、上傾斜片２９の下端から屋内側に突出した下横片３０と、下横片３０の屋内側の端から垂下した上垂下片３１と、上垂下片３１の下端から屋外側の斜め下方に突出した下傾斜片３２と、下傾斜片３２の屋外側の端から垂下し基礎２の屋外側の面の上端部を覆う下垂下片３３と、下垂下片３３の下部から屋内側に突出し下垂下片３３と基礎２の屋外側の面との間の隙間を覆う覆い横片３４とからなり、即ち本実施形態の基礎見切り２６は外壁パネル１の下端部から基礎２の屋外側の面の上端部に至るまでを覆うものである。上記基礎見切り２６の固定縦片２７の上部は外装材１８よりも下方に突出した下枠１７ａの下半部の屋外側の面にねじや釘等の固着具３５により固着してあり、これにより基礎見切り２６は外壁パネル１の下端部に取り付けられている。また基礎見切り２６の下部の屋外側の面には、前記下横片３３と上垂下片３１と下傾斜片３２とからなる屋外側に開口する水切り用の溝３６を形成している。溝３６の上底面部を形成する下横片３０には長手方向に複数の通気口３７を穿設してあり、これにより屋外空間８は、各通気口３７、基礎見切り２６と土台金物１２の縦片１４との間の空間３８、換気用通気路９、を介して床下空間７に連通することとなる。なお図中３９は基礎見切り２６の溝３６の下底部分と基礎２の上面との間を埋めるシール材であり、該シール材３９により基礎見切り２６の下部と基礎２との間の隙間から雨水が侵入することを防止している。
【００１５】
上記外壁パネル１及び床パネル２４の施工は、まず各換気用金物３の下水平片４を基礎２に載置して基礎２の上面に長手方向に複数の換気用金物３を配置すると共に基礎２に複数本植設したアンカーボルト１０に各換気用金物３のボルト孔１１、１１に挿通する。次いでこれら換気用金物３の上に長尺な土台金物１２の固定横片１３を載置すると共に各換気用金物３の上水平片５から上方に突出したアンカーボルト１０を土台金物３の固定横片１３の長手方向に複数設けた各ボルト挿通孔１５に挿通する。次に土台金物３の固定横片１３から上方に突出したアンカーボルト１０の先端部にナット１６を螺合して各換気用金物３と土台金物１２とを基礎２に固定する。次に土台金物２の縦片１４の上端部に外壁パネル１の凹溝２１を嵌め込んで外壁パネル１の下端を土台金物１２の縦片１４の外壁パネル支持部１４ａにて支持すると共に該外壁パネル１の上端部を梁に固設し、同時に土台金物１２の固定横片１３の外壁パネル１よりも屋外側に突出する部分の略全部に床パネル２４の枠材２２の端部を載置する。この後、基礎見切り２６の固定縦片２７を屋外側から打入した固着具３５にて外壁パネル１のパネル枠１７に固着し、しかして外壁パネル１及び床パネル２４の施工が完了する。なお上記施工の順序は一例を示すものであり、これに限定されるものではない。
【００１６】
このように各換気用金物３により屋外空間８と床パネル２４の下方の床下空間７とを連通させる換気用通気路９を形成することで床下を換気できる。また換気用の孔等を穿設していない縦片１４にて外壁パネル１を支持できるため、縦片１４の外壁パネル１の重みによる変形を防止できて外壁パネル１の高い支持強度を維持でき、さらに長手方向の長さが外壁パネル１の幅寸法と同じ長尺な固定横片１３にて床パネル２４を支持することができるため、固定横片１３の床パネル２４の重みによる変形を防止できて床パネル２４の高い支持強度をも維持できる。また本実施形態の土台金物１２は断面Ｌ字状という単純な形状であるため、部材コストを削減できるという効果も有している。
【図面の簡単な説明】
【００１７】
【図１】本発明の実施の形態の一例を示す縦断面図である。
【符号の説明】
【００１８】
１  外壁パネル
２  基礎
３  換気用金物
７  床下空間
８  屋外空間
９  換気用通気路
１２  土台金物
１３  固定横片
１４  縦片
１４ａ  外壁パネル支持部
２４  床パネル
【図１】
2005248575.tif 000003